(57)【要約】【課題】大型の放熱板を設けることなく昇圧コンバータ回路の冷却効果を高め、昇圧コンバータ回路を作動させてファンを駆動させる駆動電圧を昇圧させた状態での運転を長時間連続して行えるようにする。【解決手段】電動送風機７のファン３３を駆動させる駆動電圧を昇圧させる昇圧コンバータ回路１５を備えた電気掃除機において、昇圧コンバータ回路１５の作動時には、流路面積可変手段２５、２７を駆動させ、モータハウジング３６内に形成された回路空冷用流路４５を経て昇圧コンバータ回路１５に向けて送風される空気量をアップさせる。これにより、昇圧コンバータ回路１５の冷却を大型の放熱板を設けることなく行うことができ、昇圧コンバータ回路１５を作動させてファンを駆動させる駆動電圧を昇圧させた状態での運転を長時間連続して行うことができる。【選択図】    図５
2004173913.tif 000002
【特許請求の範囲】
【請求項１】
吸引用のファンとロータとステータとがモータハウジング内に収納され、前記ファンの駆動に伴って吸引した空気が流れる排気用流路が前記モータハウジング内に形成された電動送風機と、
前記ファンの吸引力アップ時に前記ファンを駆動させる駆動電圧を昇圧させる昇圧コンバータ回路と、
を備えた電気掃除機において、
前記モータハウジング内に形成され、前記ファンにより吸入された空気の一部が前記昇圧コンバータ回路に向けて送風される回路空冷用流路と、
前記排気用流路と前記回路空冷用流路との少なくともいずれか一方の流路面積を調節可能な流路面積可変手段と、
を有し、
前記昇圧コンバータ回路の作動時に前記流路面積可変手段により流路面積を可変することによって前記回路空冷用流路を送風される空気量をアップさせるようにしたことを特徴とする電気掃除機。
【請求項２】
前記回路空冷用流路は前記モータハウジングにおける前記昇圧コンバータ回路に対向する位置に形成された回路空冷用開口部に連通され、
前記流路面積可変手段は、前記回路空冷用開口部に設けられてこの回路空冷用開口部の開口面積を調節可能な回路空冷用開閉扉であることを特徴とする請求項１記載の電気掃除機。
【請求項３】
前記回路空冷用流路は前記モータハウジングにおける前記昇降コンバータ回路に対向する位置に形成された回路空冷用開口部に連通され、
前記排気用流路は前記モータハウジングにおける前記昇圧コンバータ回路に対向する位置以外の位置に形成された排気用開口部に連通され、
前記流路面積可変手段は、前記排気用開口部に設けられてこの排気用開口部の開口面積を調節可能な排気用開閉扉であることを特徴とする請求項１記載の電気掃除機。
【請求項４】
前記回路空冷用流路は前記モータハウジングにおける前記昇圧コンバータ回路に対向する位置に形成された回路空冷用開口部に連通され、
前記排気用流路は前記モータハウジングにおける前記昇圧コンバータ回路に対向する位置以外の位置に形成された排気用開口部に連通され、
前記流路面積可変手段は、前記回路空冷用開口部に設けられてこの回路空冷用開口部の開口面積を調節可能な回路空冷用開閉扉と、前記排気用開口部に設けられてこの排気用開口部の開口面積を調節可能な排気用開閉扉とであることを特徴とする請求項１記載の電気掃除機。
【請求項５】
通電により発熱する発熱部と通電により吸熱する吸熱部とを備えた冷却用素子における前記吸熱部側が前記昇圧コンバータ回路を構成する回路素子の放熱面に貼付けられていることを特徴とする請求項１ないし４のいずれか一記載の電気掃除機。
【発明の詳細な説明】
【０００１】
【発明の属する技術分野】
本発明は、吸引用のファンの吸引力アップ時に、ファンを駆動させる駆動電圧を昇圧させる昇圧コンバータ回路を備えた電機掃除機に関する。
【０００２】
【従来の技術】
電気掃除機は、ファンやロータ及びステータ等から構成される電動送風機を有しており、ゴミの吸引時にはファンやロータが高速回転され、ファンやロータが回転することに伴って電動送風機や電動送風機を駆動させるための回路部品等から発熱する。この発熱状態をそのまま放置すると、電動送風機や回路部品の劣化が促進されるため、ファンの回転により吸引した空気を電動送風機の内部を通過させて送風することにより電動送風機を冷却するとともに、吸引した空気の一部を回路部品に向けて送風することにより回路部品の冷却を行っている。
【０００３】
ファンを駆動させる回路の一つとして、ファンの吸引力を一時的にアップさせる昇圧コンバータ回路を用いた電気掃除機が提案されている（例えば、特許文献１）。この昇圧コンバータ回路は、ファンを駆動させる駆動電圧を昇圧させる機能を有する。
【０００４】
昇圧コンバータ回路を作動させてファンの駆動電圧を昇圧させた場合、昇圧コンバータ回路からの発熱量が大きくなり、従来行っている送風による回路部品の冷却のみでは、昇圧コンバータ回路を十分に冷却することができない。冷却が不十分の状態で昇温コンバータ回路を使用し続けると、昇圧コンバータ回路の劣化が促進され、甚だしい場合には焼損する。
【０００５】
このため、過昇温防止回路を設け、昇圧コンバータ回路の温度が設定温度まで上昇した場合には昇圧コンバータ回路が自動的に切れる構造とする必要がある。または、昇圧コンバータ回路に大型の放熱板を取付け、放熱を促進する必要がある。
【０００６】
【特許文献１】
特開２００１−３４０２７６公報
【０００７】
【発明が解決しようとする課題】
過昇温防止回路を設けた場合には、昇圧コンバータ回路を作動させてファンの駆動電圧を昇圧させた状態での電気掃除機の連続運転時間が制約され、吸引力をアップさせた状態での掃除を長時間続けることはできない。
【０００８】
また、大型の放熱板を設けた場合には、その大型の放熱板を備えた昇圧コンバータ回路の設置スペースを広く確保しなければならず、電気掃除機の小型化を図ることが困難になる。
【０００９】
なお、ファンによる吸入した空気を昇圧コンバータ回路に向けて多量に送風すれば、昇圧コンバータ回路の冷却を十分に行うことができる。しかし、そのような構成にした場合、昇圧コンバータ回路を使用しないときにも昇圧コンバータ回路に向けて多量の空気を送風することになる。すると、ファンにより吸入した空気が回路部品等の間を通過する際の空気抵抗が常に大きい状態となり、電気掃除機の吸引効率（ゴミ取り効率）が低下する。
【００１０】
本発明の目的は、大型の放熱板を設けることなく昇圧コンバータ回路の冷却効果を高めることができ、昇圧コンバータ回路を作動させてファンの駆動電圧を昇圧させた状態での運転を長時間連続して行うことができる電気掃除機を提供することである。
【００１１】
【課題を解決するための手段】
本発明は、吸引用のファンとロータとステータとがモータハウジング内に収納され、前記ファンの駆動に伴って吸引した空気が流れる排気用流路が前記モータハウジング内に形成された電動送風機と、前記ファンの吸引力アップ時に前記ファンを駆動させる駆動電圧を昇圧させる昇圧コンバータ回路と、を備えた電気掃除機において、前記モータハウジング内に形成され、前記ファンにより吸入された空気の一部が前記昇圧コンバータ回路に向けて送風される回路空冷用流路と、前記排気用流路と前記回路空冷用流路との少なくともいずれか一方の流路面積を調節可能な流路面積可変手段と、を有し、前記昇圧コンバータ回路の作動時に前記流路面積可変手段により流路面積を可変することによって前記回路空冷用流路を送風される空気量をアップさせるようにしたことを特徴とする。
【００１２】
したがって、昇圧コンバータ回路を作動させてファンの駆動電圧を昇圧させることにより昇圧コンバータ回路からの発熱量が増大した場合には、流路面積可変手段により排気用流路と回路空冷用流路との少なくとも一方の流路面積を可変し、回路空冷用流路を送風される空気量をアップさせる。これにより、昇圧コンバータ回路の冷却を大型の放熱板を設けることなく行え、昇圧コンバータ回路を作動させてファンの駆動電圧を昇圧させた状態での運転を長時間連続して行うことが可能となる。
【００１３】
【発明の実施の形態】
本発明の第１の実施の形態を図１ないし図５に基づいて説明する。図１は、本実施の形態の電気掃除機の外観構成を示す斜視図である。本実施の形態の電気掃除機１は、その基体をなすハウジング２、一端をハウジング２に着脱自在に接続されたホース３、ホース３の他端側に設けられた手元操作部４、一端側を手元操作部４に着脱自在に接続された２分割構成の延長管５、延長管５の他端側に着脱自在に取付けられた吸込口体６、ハウジング２内に収納保持された電動送風機７（図４等参照）、ハウジング２内に形成された集塵室（図示せず）等により構成されている。
【００１４】
ホース３は、その基端が図示しない集塵室を介して電動送風機７の吸込側に連通するようにハウジング２に接続されており、そのホース３の他端側に設けられた手元操作部４には、後方に向けて延出した握り部８と、この握り部８を握った操作者の指で操作可能な範囲に位置する操作手段９とが設けられている。
【００１５】
操作手段９は、電動送風機７の電源スイッチを兼ね、この電動送風機７をそれぞれ異なる駆動状態にする複数種類の運転モードを選択設定することができるように構成されている。具体的には、図２中に示すように、握り部８から延長管５の方向に向けて、運転モードを停止状態とする停止操作ボタン１０、運転モードを弱運転状態とする弱運転操作ボタン１１、運転モードを強運転状態とする強運転操作ボタン１２が一列に順次並んで配設されている。弱運転操作ボタン１１を押した状態で電気掃除機１を運転する場合には、電動送風機７には低い電圧が印加され、電動送風機７の吸込力は小さい。強運転操作ボタン１２を押した状態で電気掃除機１を運転する場合には、後述する昇圧コンバータ回路１５の作動により昇圧された高い駆動電圧が電動送風機７に印加され、電動送風機７の吸込力がアップされる。
【００１６】
ハウジング２の後部には、充電台にセットして直流電源１３（図２参照）を充電させるための充電端子（図示せず）が設けられている。この直流電源１３は、Ｎｉ−Ｃｄ電池、ニッケル水素電池、リチウムイオン電池などの電池を複数本直列に接続して構成されている。
【００１７】
このような構造の電気掃除機１における電動送風機７に対する制御回路の構成例を図２に示す。ハウジング２内に配設された電動送風機７は、直流電源１３から切替スイッチ１４と切替スイッチ１４ａとを介して電力を供給されて駆動される。切替スイッチ１４は、弱運転操作ボタン１１が押されたときに直流電源１３の駆動電圧をそのまま印加する切替位置と、強運転操作ボタン１２が押されたときに直流電源１３の駆動電圧を昇圧コンバータ回路１５を作動させて昇圧させた後に印加する切替位置とを有している。切替スイッチ１４ａは、弱運転操作ボタン１１又は強運転操作ボタン１２が押されたときにオンとなり、停止操作ボタン１０が押されたときにオフとなる。これらの切替スイッチ１４、１４ａは、電気掃除機１内に内蔵されている制御手段１６に接続されている。
【００１８】
制御手段１６は、運転モード切替制御部１７、電圧変換制御部１８、タイマ１９、電動送風機制御部２０、開閉制御部２１、記憶部２２等から構成されており、この制御手段１６に対し、操作手段９、ハウジング２の上部に配設された複数の発光ダイオードを備えた表示手段２３、温度センサ２４、後述する回路空冷用開閉扉２５を駆動する駆動部２６と、後述する排気用開閉扉２７を駆動する駆動部２８等が接続されている。制御手段１６は、外部からの入力信号により予め設定されたプログラムに従って所定の動作を実行するものである。
【００１９】
昇圧コンバータ回路１５は、エネルギーの蓄積と放出の役割をなす磁気部品であるリアクトル２９、制御端子を持つ半導体スイッチング素子３０、ダイオード３１、コンデンサ３２等により構成されている。
【００２０】
磁気部品は、主に巻線（コイル）と磁性材料からなるコアから構成され、巻線の中にコアを挿入し、巻線に電流を流すことによってエネルギーを蓄積し、そのエネルギーをスイッチング手段などにより放出する。特に、本実施の形態の磁気部品としてのリアクトル２９は、フェライト、センダスト、パーマロイ、アモルファス合金などの磁性材料からなるコアと巻線などから構成されている。コアの形状は、ソレノイド形状やトロイド形状などである。
【００２１】
ここで、昇圧コンバータ回路１５の昇圧動作を説明する。電圧変換制御部１８から出力されるパルス信号によりスイッチング素子３０がオンになると、電流ａが流れ、同時に流れる電流ｂによりリアクトル２９に磁気エネルギーが蓄えられる。次に、電圧変換制御部１８から出力されるパルス信号によりスイッチング素子３０がオフになると、リアクトル２９に蓄積されている磁気エネルギーは、ダイオード３１を経て電流ｃとして電動送風機７側に流れ、コンデンサ３２に充電される。このようにして、電圧変換制御部１８から出力されるパルス信号によりスイッチング素子３０のオン・オフを連続的に行うことによって、直流電源１３からリアクトル２９へのエネルギーの蓄積と放出とが繰返し行われ、コンデンサ３２の電圧が直流電源１３の電圧よりも高くなり、この高い電圧が電動送風機７に印加される。なお、コンデンサ３２に蓄えられたエネルギーは、ダイオード３１の作用によりリアクトル２９に戻ることが阻止される。
【００２２】
昇圧コンバータ回路１５の作動時にはスイッチング素子３０はパルス信号の周波数に応じてスイッチング動作が繰り返され、そのスイッチング動作に伴うスイッチングロスにより発熱する。この発熱により、スイッチング素子３０とダイオード３１とにおいて温度上昇が著しくなる。
【００２３】
電動送風機７は、図３及び図４に示すように、吸引用のファン３３、ファン３３と一体に回転するロータ３４、ロータ３４を囲む位置に配置されたステータ３５、これらのファン３３、ロータ３４、ステータ３５を収納する筒状のモータハウジング３６等により構成されている。電動送風機７は、ハウジング２の内側にハウジング２と一体に形成されたフレーム３７に保持され、電動送風機７の近傍には図２に示した制御回路が構成された回路基板３８が配置されている。回路基板３８は、一端側がハウジング２の内側にハウジング２と一体形成された受部３９に挿入され、他端側がハウジング２の内側にハウジング２と一体形成されたフレーム４０にネジ止めされている。
【００２４】
モータハウジング３６には、ファン３３が配置された側の端部に位置する吸入口４１と、他端側の端部に位置する排気用開口部４２と、回路基板３８上の昇圧コンバータ回路１５に対向する位置に形成された回路空冷用開口部４３とが形成されている。排気用開口部４２は、モータハウジング３６における昇圧コンバータ回路１５に対向する位置以外の位置に形成されている。そして、吸入口４１から排気用開口部４２に至る排気用流路４４がモータハウジング３６内に形成され、この排気用流路４４の途中から分岐されて回路空冷用開口部４３に至る回路空冷用流路４５がモータハウジング３６内に形成されている。
【００２５】
回路空冷用開口部４３には、この回路空冷用開口部４３の開口面積を調節可能な流路面積可変手段である回路空冷用開閉扉２５が配置されている。また、排気用開口部４２には、この排気用開口部４２の開口面積を調節可能な流路面積可変手段である排気用開閉扉２７が配置されている。回路空冷用開閉扉２５にはこの回路空冷用開閉扉２５を回路空冷用開口部４３の開口面積を可変させる位置へ移動させる駆動部２６、例えば、電磁駆動機構等が連結されている。排気用開閉扉２７にも同様の駆動部２８が連結されている。駆動部２６、２８は、開閉制御部２１からの制御信号により作動し、回路空冷用開口部４３、排気用開口部４２の開口面積を可変する位置へ回路空冷用開閉扉２５、排気用開閉扉２７を移動させる。
【００２６】
このような構成において、電気掃除機１を運転していない場合、及び、弱運転操作ボタン１１を押した状態で電気掃除機１を運転している場合には、回路空冷用開閉扉２５は図４に示すように回路空冷用開口部４３の開口面積が最小となる位置に位置し、排気用開閉扉２７は図３の実線で示すように排気用開口部４２の開口面積が最大となる位置に位置している。
【００２７】
このため、電気掃除機１の運転に伴うファン３３の駆動により吸込口体６からゴミと共に吸入された空気は、集塵室を通過した後に図４において矢印で示すように、吸入口４１からモータハウジング３６内に流入し、その空気の大部分は排気用流路４４を経て排気用開口部４２から排気される。吸入口４１からモータハウジング３６内に流入した空気の一部である少量の空気は、図４において矢印で示すように回路空冷用流路４５を経て回路空冷用開口部４３の小さい開口部分から回路基板３８に向けて流れる。排気用流路４４を経て排気用開口部４２から排気される空気によりロータ３４やステータ３５等の空冷が行われ、回路空冷用流路４５を経て回路空冷用開口部４３の小さい開口部分から回路基板３８に向けて流れる少量の空気により、回路基板３８の空冷が行われる。
【００２８】
弱運転操作ボタン１１を押した状態での運転時には、昇圧コンバータ回路１５は作動しておらず、回路基板３８からの発熱量は少ない。このため、回路空冷用開口部４３の開口面積が小さく、この小さい開口部分を通過して流れる空気の量が少量であっても、回路基板３８の空冷用としては十分な流量となっている。
【００２９】
強運転操作ボタン１２を押した状態での運転時には、回路空冷用開閉扉２５は図５に示す位置に回動して回路空冷用開口部４３の開口面積が大きくなり、排気用開閉扉２７は図３の二点鎖線で示す位置に移動して排気用開口部４２の開口面積が小さくなる。
【００３０】
このため、電気掃除機１の運転に伴うファン３３の駆動により吸込口体６からゴミと共に吸入された空気のうち、排気用流路４４内を経て排気用開口部４２から排気される空気の量が制限され、回路空冷用流路４５内を経て回路空冷用開口部４３から回路基板３８に向けて流れる空気の量がアップする。
【００３１】
強運転操作ボタン１２を押した状態での運転時には、昇圧コンバータ回路１５が作動し、回路基板３８からの発熱量、特に昇圧コンバータ回路１５を構成するスイッチング素子３０及びダイオード３１からの発熱量が多くなる。しかし、この回路基板３８に向けて回路空冷用開口部４３から送風される空気量が多くなるため、回路基板３８の空冷を良好に行え、昇圧コンバータ回路１５を作動させてファン３３の駆動電圧を昇圧させた状態での運転を長時間連続して行うことが可能になる。しかも、回路基板３８の冷却のために大型の放熱板を設ける必要がなく、回路基板３８が大型化することを抑制でき、回路基板３８が大型化することに伴って電気掃除機１全体が大型化することを抑制できる。
【００３２】
なお、強運転操作ボタン１２を押した状態での運転時において、回路空冷用開口部４３の開口面積が大きくなる位置へ回路空冷用開閉扉２５を移動させるとともに排気用開口部４２の開口面積が小さくなる位置へ排気用開閉扉２７を移動させることにより、排気用開口部４２から排気される空気量を抑制して回路空冷用開口部４３から回路基板３８に向けて送風される空気量のアップを効果的に行うことができる。
【００３３】
つぎに、本発明の第２の実施の形態を図６に基づいて説明する。なお、図１ないし図５において説明した部分と同じ部分は同じ符号で示し、説明も省略する（以下の実施の形態でも同じ）。
【００３４】
本実施の形態では、モータハウジング３６に吸入口４１と排気用開口部４２と回路空冷用開口部４３とが形成され、回路空冷用開口部４３には、この回路空冷用開口部４３の開口面積を調節可能な回路空冷用開閉扉２５が配置されている。一方、排気用開口部４２には、第１の実施の形態で説明した排気用開閉扉２７は設けられておらず、排気用開口部４２の開口面積は常に一定である。
【００３５】
このような構成において、電気掃除機１を運転していない場合、及び、弱運転操作ボタン１１を押した状態で電気掃除機１を運転している場合には、回路空冷用開閉扉２５は回路空冷用開口部４３の開口面積が最小となる位置に移動している。
【００３６】
このため、電気掃除機１の運転に伴うファン３３の駆動により吸込口体６からゴミと共に吸入された空気は、集塵室を通過した後に吸入口４１からモータハウジング３６内に流入し、その空気の大部分は排気用流路４４（図４参照）を経て排気用開口部４２から排気される。吸入口４１からモータハウジング３６内に流入した空気の一部である少量の空気は、回路空冷用流路４５（図４参照）を経て回路空冷用開口部４３の小さい開口部分から回路基板３８に向けて流れる。排気用流路４４を経て排気用開口部４２から排気される空気によりロータ３４やステータ３５等の空冷が行われ、回路空冷用流路４５を経て回路空冷用開口部４３の小さい開口部分から回路基板３８に向けて流れる少量の空気により、回路基板３８の空冷が行われる。
【００３７】
弱運転操作ボタン１１を押した状態での運転時には、昇圧コンバータ回路１５は作動しておらず、回路基板３８からの発熱量は少ない。このため、回路空冷用開口部４３の開口面積が小さく、この小さい開口部分を通過して流れる空気の量が少量であっても、回路基板３８の空冷用としては十分な流量となっている。
【００３８】
強運転操作ボタン１２を押した状態での運転時には、回路空冷用開閉扉２５が移動し、回路空冷用開口部４３の開口面積が大きくなる（図５参照）。
【００３９】
このため、電気掃除機１の運転に伴うファン３３の駆動により吸込口体６から吸入されてモータハウジング３６内に流入した空気は、排気用流路４４を経て排気用開口部４２から排気される空気と、回路空冷用流路４５を経て回路空冷用開口部４３から回路基板３８に向けて流れる空気とに略二分され、回路空冷用開口部４３から回路基板３８に向けて流れる空気の量が大幅にアップする。
【００４０】
強運転操作ボタン１２を押した状態での運転時には、昇圧コンバータ回路１５が作動し、回路基板３８からの発熱量、特に昇圧コンバータ回路１５を構成するスイッチング素子３０及びダイオード３１からの発熱量が多くなる。しかし、この回路基板３８に向けて回路空冷用開口部４３から送風される空気量が多くなるため、回路基板３８の空冷を良好に行え、昇圧コンバータ回路１５を作動させてファン３３の駆動電圧を昇圧させた状態での運転を長時間連続して行うことが可能になる。しかも、回路基板３８に大型の放熱板を設けることは不要である。
【００４１】
つぎに、本発明の第３の実施の形態を図７に基づいて説明する。
【００４２】
本実施の形態では、モータハウジング３６に吸入口４１と排気用開口部４２と回路空冷用開口部４３とが形成され、排気用開口部４２には、この排気用開口部４２の開口面積を調節可能な排気用開閉扉２７が配置されている。一方、回路空冷用開口部４３には、第１、第２の実施の形態で説明した回路空冷用開閉扉２５は設けられておらず、回路空冷用開口部４３の開口面積は常に一定である。
【００４３】
このような構成において、電気掃除機１を運転していない場合、及び、弱運転操作ボタン１１を押した状態で電気掃除機１を運転している場合には、排気用開閉扉２７は実線で示すように排気用開口部４２の開口面積が最大となる位置に移動している。
【００４４】
このため、電気掃除機１の運転に伴うファン３３の駆動により吸込口体６からゴミと共に吸入された空気は、集塵室を通過した後に吸入口４１からモータハウジング３６内に流入し、排気用流路４４（図４参照）を経て排気用開口部４２から排気される空気と、回路空冷用流路４５（図４参照）を経て回路空冷用開口部４３から回路基板３８に向けて流れる空気と分岐される。但し、排気用開口部４２の開口面積を回路空冷用開口部４３の開口面積より大きく設定すること等により、排気用開口部４２から排気される空気量が回路空冷用開口部４３から送風される空気量よりも多くなるように設定されている。排気用流路４４を経て排気用開口部４２から排気される空気によりロータ３４やステータ３５等の空冷が行われ、回路空冷用流路４５を経て回路空冷用開口部４３から回路基板３８に向けて流れる空気により回路基板３８の空冷が行われる。
【００４５】
強運転操作ボタン１２を押した状態での運転時には、排気用開閉扉２７が二点鎖線で示す位置に移動し、排気用開口部４２の開口面積が小さくなる。
【００４６】
このため、電気掃除機１の運転に伴うファン３３の駆動により吸込口体６から吸入されてモータハウジング３６内に流入した空気のうち、排気用流路４４を経て排気用開口部４２から排気される空気量が制約され、回路空冷用流路４５を経て回路空冷用開口部４３から回路基板３８に向けて流れる空気の量がアップする。
【００４７】
強運転操作ボタン１２を押した状態での運転時には、昇圧コンバータ回路１５が作動し、回路基板３８からの発熱量、特に昇圧コンバータ回路１５を構成するスイッチング素子３０及びダイオード３１からの発熱量が多くなる。しかし、この回路基板３８に向けて回路空冷用開口部４３から送風される空気量が多くなるため、回路基板３８の空冷を良好に行え、昇圧コンバータ回路１５を作動させてファン３３の駆動電圧を昇圧させた状態での運転を長時間連続して行うことが可能になる。しかも、回路基板３８に大型の放熱板を設けることは不要である。
【００４８】
つぎに、本発明の第４の実施の形態を図８に基づいて説明する。
【００４９】
本実施の形態では、通電により発熱する発熱部と通電により吸熱する吸熱部とを備えた冷却用素子であるペルチェ素子４６を準備し、このペルチェ素子４６における吸熱部側を、昇圧コンバータ回路１５を構成する回路素子であるスイッチング素子３０とダイオード３１との放熱面に貼付けたものである。
【００５０】
このような構成において、昇圧コンバータ回路１５が作動される強運転操作ボタン１２が押された運転時において、ペルチェ素子４６へ通電させることにより、スイッチング素子３０、ダイオード３１で発生した熱がペルチェ素子４６の吸熱部で吸熱され、その熱はペルチェ素子４６の発熱部側から発熱され、回路空冷用開口部４３から送風された空気により運び去られる。これにより、ペルチェ素子４６によるスイッチング素子３０とダイオード３１との冷却効果を高めることができる。ペルチェ素子４６の発熱部側に放熱用フィンを形成すれば、冷却効果がより一層高くなる。
【００５１】
【発明の効果】
本発明によれば、電動送風機のファンを駆動させる駆動電圧を昇圧させる昇圧コンバータ回路を備えた電気掃除機において、昇圧コンバータ回路の作動時にモータハウジング内に形成された回路空冷用流路を経て昇圧コンバータ回路に向けて送風される空気量をアップさせるようにしたので、昇圧コンバータ回路の冷却を大型の放熱板を設けることなく行うことができ、昇圧コンバータ回路を作動させてファンを駆動させる駆動電圧を昇圧させた状態での運転を長時間連続して行うことができる。
【図面の簡単な説明】
【図１】本発明の第１の実施の形態の電気掃除機の外観構成を示す斜視図である。
【図２】その制御回路を示す回路図である。
【図３】電動送風機の外観構成を示す斜視図である。
【図４】昇圧コンバータ回路を作動させない運転時におけるファンにより吸入された空気の流れを説明する説明図である。
【図５】昇圧コンバータ回路を作動させた運転時におけるファンにより吸入された空気の流れを説明する説明図である。
【図６】本発明の第２の実施の形態における電動送風機の外観構成を示す斜視図である。
【図７】本発明の第３の実施の形態における電動送風機の外観構成を示す斜視図である。
【図８】本発明の第４の実施の形態における冷却素子（ペルチェ素子）の取付け状態を示す斜視図である。
【符号の説明】
７      電動送風機
１５      昇圧コンバータ回路
２５      流路面積可変手段、回路空冷用開閉扉
２７      流路面積可変手段、排気用開閉扉
３０、３１  回路素子
３３      ファン
３４      ロータ
３５      ステータ
３６      モータハウジング
４２      排気用開口部
４３      回路空冷用開口部
４４      排気用流路
４５      回路空冷用流路
４６      冷却用素子
【図１】
2004173913.tif 000003
【図２】
2004173913.tif 000004
【図３】
2004173913.tif 000005
【図４】
2004173913.tif 000006
【図５】
2004173913.tif 000007
【図６】
2004173913.tif 000008
【図７】
2004173913.tif 000009
【図８】
2004173913.tif 000010